(57)【特許請求の範囲】
【請求項１】
ナットに嵌合する環状嵌合部と、柄部とを有するスパナの嵌合した前記ナットからの脱落を防止するためのスパナ脱落防止構造であって、
前記スパナの前記環状嵌合部が、ボルトに螺着された前記ナットに嵌合した状態で、スパナ押え治具が、前記ボルトの先端部に螺合し、
前記スパナ押え治具は、前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する、
ことを特徴とするスパナ脱落防止構造。
【請求項２】
ナットに嵌合する環状嵌合部と、柄部とを有するスパナの嵌合した前記ナットからの脱落を防止しつつ、前記ナットをボルトに螺着し、又は前記ボルトに螺着された前記ナットを取り外すためのナット着脱方法であって、
前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する前記スパナ押え治具を用い、
前記ナットの着脱時に、前記スパナの前記環状嵌合部が、前記ボルトに螺着された前記ナットに嵌合した状態で、前記軸部を、前記ボルトの先端部に螺合させた状態で、前記補助ボルトの後端部を前記ボルトの先端面に突き当て、かつ、前記押圧部によって、前記環状嵌合部の側面部を押圧させる
ことを特徴とするナット着脱方法。
【請求項３】
ナットに嵌合する環状嵌合部と、柄部とを有するスパナの前記ナットからの脱落を防止するために用いられるスパナ押え治具であって、
前記スパナの前記環状嵌合部が、ボルトに螺着された前記ナットに嵌合した状態で、前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する、
ことを特徴とするスパナ押え治具。
【発明の詳細な説明】
【技術分野】
【０００１】
この発明は、スパナのナットからの脱落を防止するためのスパナ脱落防止構造、ナット着脱方法及びスパナ押え治具に関する。
【背景技術】
【０００２】
従来より、例えば、配管同士を接合するような場合には、図７に示すように、スパナ１０１を用いて、フランジに配設されたボルト１０２にナット１０３を螺合させて締め付ける作業が行われる。この場合、作業員が、手で可能な範囲までボルト１０２にナット１０３を螺合させた後、閉口のスパナ１０１の環状嵌合部をナット１０３に嵌合させる。この後、ハンマ等でスパナ１０１の柄部を打撃してさらに十分締め付ける。
【０００３】
この際、スパナ１０１を打撃する作業員のほかに、スパナ１０１がナット１０３から脱落しないように介添する作業員も別に必要である。しかも、閉ざされた狭隘な場所で、作業を行う場合には、ハンマがスパナ１０１から外れた場合や、スパナ１０１がナット１０３から外れた場合には、両作業員に危険が及ぶ。特に、打撃する作業員の狭隘な場所での体勢の維持が優先され、かつ、介添する作業員は、スパナ１０１を直視することなく補助を行っているため、脱落時に回避が困難であり、大変危険である。こうした問題は、ナット１０３を緩める場合にも同様に発生する。
【０００４】
このため、例えば、楕円柱内部に断面六角形状の長穴を形成させたナット締付治具が提案されている（例えば、特許文献１参照。）。
【先行技術文献】
【特許文献】
【０００５】
【特許文献１】特開平７−１１６９６５号公報
【発明の概要】
【発明が解決しようとする課題】
【０００６】
しかしながら、上記従来技術においては、長いボルトにナットを螺合させることが前提となっており、比較的短いボルトにナットを螺合させる場合には適用できない。
【０００７】
この発明は、前記の課題を解決し、安全に、簡単に、かつ確実に、ナットを着脱することができるスパナ脱落防止構造、ナット着脱方法及びスパナ押え治具を提供することを目的としている。
【課題を解決するための手段】
【０００８】
前記の課題を解決するために、請求項１の発明は、ナットに嵌合する環状嵌合部と、柄部とを有するスパナの嵌合した前記ナットからの脱落を防止するためのスパナ脱落防止構造であって、前記スパナの前記環状嵌合部が、ボルトに螺着された前記ナットに嵌合した状態で、スパナ押え治具が、前記ボルトの先端部に螺合し、前記スパナ押え治具は、前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する、ことを特徴とするスパナ脱落防止構造である。ここで、環状嵌合部の側面部とは、環状嵌合部の軸に直交し、スパナ押え治具の裏面側に当接される面を意味する。
【０００９】
請求項１の発明では、スパナ押え治具の軸部が、ボルトの先端部に螺合し、押圧部がスパナの環状嵌合部の側面部を押圧する。また、補助ボルトが、スパナ押え治具のボルトへの固定を補助する。
【００１２】
請求項２の発明は、ナットに嵌合する環状嵌合部と、柄部とを有するスパナの嵌合した前記ナットからの脱落を防止しつつ、前記ナットをボルトに螺着し、又は前記ボルトに螺着された前記ナットを取り外すためのナット着脱方法であって、前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する前記スパナ押え治具を用い、前記ナットの着脱時に、前記スパナの前記環状嵌合部が、前記ボルトに螺着された前記ナットに嵌合した状態で、前記軸部を、前記ボルトの先端部に螺合させた状態で、前記補助ボルトの後端部を前記ボルトの先端面に突き当て、かつ、前記押圧部によって、前記環状嵌合部の側面部を押圧させることを特徴とするナット着脱方法である。
【００１３】
請求項３の発明は、ナットに嵌合する環状嵌合部と、柄部とを有するスパナの前記ナットからの脱落を防止するために用いられるスパナ押え治具であって、前記スパナの前記環状嵌合部が、ボルトに螺着された前記ナットに嵌合した状態で、前記ボルトの先端部に螺合する雌ねじ部を有する軸部と、前記環状嵌合部の側面部を押圧する押圧部と、前記ボルトと軸を同じくして配設され、その後端部が前記ボルトの先端面に突き当てられ、前記スパナ押え治具の前記ボルトへの固定を補助するための補助ボルトと、前記補助ボルトを螺合する雌ねじ部が中央部に形成された円形状部材とを有する、ことを特徴とするスパナ押え治具である。
【発明の効果】
【００１４】
請求項１の発明によれば、スパナ押え治具の軸部が、ボルトの先端部に螺合し、押圧部がスパナの環状嵌合部の側面部を押圧するので、安全に、簡単に、かつ確実に、ナットを着脱することができる。
【００１６】
また、補助ボルトによって、スパナ押え治具のがたつきを抑えることができる。
【００１７】
請求項２の発明によれば、スパナ押え治具の軸部が、ボルトの先端部に螺合し、押圧部がスパナの環状嵌合部の側面部を押圧するので、安全に、簡単に、かつ確実に、ナットを着脱することができる。
【００１８】
請求項３の発明によれば、スパナ押え治具の軸部が、ボルトの先端部に螺合し、押圧部がスパナの環状嵌合部の側面部を押圧するので、安全に、簡単に、かつ確実に、ナットを着脱することができる。
【図面の簡単な説明】
【００１９】
【図１】この発明の実施の形態１によるスパナ脱落防止構造の構成を説明するための説明図である。
【図２】同スパナ脱落防止構造の構成を示す平面図である。
【図３】同スパナ脱落防止構造を適用し、スパナを用いたナット着脱方法を説明するための斜視図である。
【図４】この発明の実施の形態２によるスパナ脱落防止構造の構成を説明するための説明図である。
【図５】同スパナ脱落防止構造の構成を示す平面図である。
【図６】この発明の実施の形態１の変形例によるスパナ脱落防止構造の押え金具の構成を模式的に示す断面図である。
【図７】従来技術を説明するための説明図である。
【発明を実施するための形態】
【００２０】
次に、この発明の実施の形態について、図面を用いて詳しく説明する。
【００２１】
（実施の形態１）
図１は、この発明の実施の形態１によるスパナ脱落防止構造の構成を説明するための説明図、図２は、同スパナ脱落防止構造の構成を示す平面図、図３は、同スパナ脱落防止構造を適用し、スパナを用いたナット着脱方法を説明するための斜視図である。
【００２２】
図１及び図２に示すように、この実施の形態のスパナ脱落防止構造１は、スパナ３が、ボルト４に螺着されたナット５に嵌合した状態で、押え金具６が、ボルト４の先端部に螺合するとともに、環状弾性部材７を介してスパナ３を押えるように配置されて概略構成されている。
【００２３】
押え金具６は、スパナ３を押える円板状部材８と、円板状部材８に軸を同じくして接合されたナット状部材９とを有している。円板状部材８は、中央部に形成され、ボルト４の先端部に螺合する雌ねじ部１１と、周縁部に形成され、環状弾性部材７を介してスパナ３の環状嵌合部の側面を押える押圧部１２とを有している。ナット状部材９は、雌ねじ部１１と同径の雌ねじ部１３を有している。環状弾性部材７は、例えば、開口が形成された皿ばねや、ワッシャを含んでいる。
【００２４】
この実施の形態では、スパナ３として、ナット５と嵌合する環状嵌合部と、柄部とを有する閉口スパナを用いる場合に適用される。ナット５は、略六角形状の断面を有し、スパナ３の環状嵌合部は、ナット５が嵌合するためのナット５の形状に対応した形状の開口を有し、スパナ３の内壁面３ａが、ナット５の外壁面に接触することとなる。この実施の形態では、環状弾性部材７は、円板状部材８の裏面周縁部に溶接等により接合されている。なお、環状弾性部材７は、分離されていても良いし、スパナ３に接合されていても良い。
【００２５】
次に、図３を参照して、押え金具６を用いたナット着脱方法について述べる。ナット５の締付方法から述べる。図３に示すように、まず、例えば、配管同士を接合するためのフランジ１６に配設されたボルト４にナット５を手で可能な範囲まで螺合させ、スパナ３の環状嵌合部をナット５に嵌合させる。次に、ボルト４の先端部に、環状弾性部材７が接合された押え金具６を取り付ける。すなわち、手でナット状部材９を時計周りに回転させて、円板状部材８の雌ねじ部１１にボルト４を螺合させる。なお、ナット状部材９を別のスパナを用いて回転させても良い。
【００２６】
ここで、押圧部１２が、環状弾性部材７を介してスパナ３の環状嵌合部の側面を押える。これにより、スパナ３は、ナット５から脱落することなく保持される。この状態で、スパナ３の柄部をハンマ１５等を用いて打撃し、ナット５に対して比較的強いトルクを与えて、更に回転させて、ナット５を締め付ける。ここで、環状弾性部材７に対して、スパナ３の環状嵌合部の側面は、摺動することとなる。このとき、押え金具６により、押さえられていることによって、衝撃によってスパナ３が弾き跳ばされて脱落することがない。
【００２７】
次に、ナット５の取外方法について述べる。まず、強く締め付けられたナット５が螺着されたボルト４の先端部に環状弾性部材７が接合された押え金具６を取り付ける。すなわち、手でナット状部材９を時計周りに回転させて、円板状部材８の雌ねじ部１１にボルト４を螺合させる。
【００２８】
ここで、押圧部１２が、環状弾性部材７を介してスパナ３の環状嵌合部の側面を押える。これにより、スパナ３は、ナット５から脱落することなく保持される。この状態で、スパナ３の柄部をハンマ１５等を用いて打撃し、ナット５に対して比較的強いトルクを与えて、ナット５を緩める。次に、押え金具６をボルト４から取り外した後、手でナット５をボルト４から取り外す。この場合も、押え金具６により、押さえられていることによって、衝撃によってスパナ３が弾き跳ばされて脱落することがない。さらに、環状弾性部材７によって押さえられることにより、ナット５が外側へ移動する際の逃げが吸収され、ナット５を円滑に取り外すことができる。
【００２９】
こうして、この実施の形態の構成によれば、ナット５の締付け時も、取外し時も、押え金具６により、押さえられていることによって、衝撃によってスパナ３が弾き跳ばされて脱落することがない。したがって、安全に、簡単に、かつ確実に、ナット５を着脱することができる。また、単一の作業員で実施可能となるので、狭隘な場所での作業効率が向上する上に、コストを抑制することができる。また、押え金具６は、簡易な構成であり、小型軽量であるので、持運びも、取付け及び取外しも簡単に行うことができる。
【００３０】
（実施の形態２）
図４は、この発明の実施の形態２によるスパナ脱落防止構造の構成を説明するための説明図、図５は、同スパナ脱落防止構造の構成を示す平面図である。
【００３１】
図４及び図５に示すように、この実施の形態のスパナ脱落防止構造１Ａは、スパナ１８が、ボルト１９に螺着されたナット２１に嵌合した状態で、押え金具２２が、ボルト１９の先端部に螺合するとともに、環状弾性部材２３を介してスパナ１８を押えるように、かつ、ロックボルト２４によって固定されるように配置されて概略構成されている。
【００３２】
押え金具２２は、スパナ１８を押える円板状部材２５と、把持部２６ａ，２６ｂと、把持部２６ａ，２６ｂを連結するとともにロックボルト２４が螺着される雌ねじ部が中央部に形成された円板状部材２７とを有している。円板状部材２５は、中央部に形成され、ボルト１９の先端部に螺合する雌ねじ部２８と、周縁部に形成され、環状弾性部材２３を介してスパナ１８の環状嵌合部の側面を押える押圧部２９とを有している。
【００３３】
ボルト１９は、その先端面に、底部を有する加工用のセンタ穴１９ａが形成され、ロックボルト２４の軸部がこのセンタ穴１９ａに挿通され、軸部の先端がこの底部に突き当てられる。なお、センタ穴１９ａは、必ずしも形成されていなくても良いし、ロックボルト２４の軸部と螺合する雌ねじ部が形成されていても良い。ロックボルト２４をボルト１９に突き当てることによって、押え金具２２をボルト１９に螺着した際のがたつき（遊び）が低減される。
【００３４】
ナット２１は、略六角形状の断面を有し、スパナ１８の環状嵌合部は、ナット２１が嵌合するためのナット２１の形状に対応した形状の開口を有し、スパナ１８の内壁面１８ａが、ナット２１の外壁面に接触することとなる。この実施の形態では、環状弾性部材２３は、円板状部材２５の裏面周縁部に溶接等により接合されている。なお、環状弾性部材２３は、分離されていても良いし、スパナ１８に接合されていても良い。
【００３５】
次に、押え金具２２を用いたナット着脱方法について述べる。ナット２１の締付方法から述べる。図４に示すように、まず、ボルト１９にナット２１を手で可能な範囲まで螺合させ、スパナ１８の環状嵌合部をナット２１に嵌合させる。次に、ボルト１９の先端部に、環状弾性部材２３が接合された押え金具２２を取り付ける。すなわち、手で把持部２６a，２６ｂを時計周りに回転させて、円板状部材２５の雌ねじ部２８にボルト１９を螺合させる。ここで、ロックボルト２４の軸部をセンタ穴１９ａに挿通し、底部に突き当てる。これによって、がたつきが防止される。
【００３６】
また、押圧部２９が、環状弾性部材２３を介してスパナ１８の環状嵌合部の側面を押える。これにより、スパナ１８は、ナット２１から脱落することなく保持される。この状態で、スパナ１８の柄部をハンマ等を用いて打撃し、ナット２１に対して比較的強いトルクを与えて、更に回転させて、ナット２１を締め付ける。ここで、環状弾性部材２３に対して、スパナ１８の環状嵌合部の側面は、摺動することとなる。このとき、押え金具２２により、押さえられていることによって、衝撃によってスパナ１８が弾き跳ばされて脱落することがない。
【００３７】
次に、ナット２１の取外方法について述べる。まず、強く締め付けられたナット２１が螺着されたボルト１９の先端部に環状弾性部材２３が接合された押え金具２２を取り付ける。すなわち、手で把持部２６ａ，２６ｂを時計周りに回転させて、円板状部材２５の雌ねじ部２８にボルト１９を螺合させる。
【００３８】
ここで、ロックボルト２４の軸部をセンタ穴１９ａに挿通し、底部に突き当てる。これによって、押え金具２２のがたつきが防止される。また、押圧部２９が、環状弾性部材２３を介してスパナ１８の環状嵌合部の側面を押える。これにより、スパナ１８は、ナット２１から脱落することなく保持される。この状態で、スパナ１８の柄部をハンマ等を用いて打撃し、ナット２１に対して比較的強いトルクを与えて、ナット２１を緩める。
【００３９】
次に、押え金具２２をボルト１９から取り外した後、手でナット２１をボルト１９から取り外す。この場合も、押え金具２２により、押さえられていることによって、衝撃によってスパナ１８が弾き跳ばされて脱落することがない。さらに、環状弾性部材２３によって押さえられることにより、円滑に取り外すことができる。
【００４０】
この実施の形態の構成によれば、上述した実施の形態１と略同様の効果を得ることができる。加えて、ロックボルト２４をボルト１９に突き当てることによって、押え金具２２をボルト１９に螺着した際のがたつき（遊び）を低減することができる。
【００４１】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、単一の径のボルトに対応する場合について述べたが、図６に示すように、両側で２種類の径のボルトに対応する雌ねじ部３４，３５を形成した軸部３２，３３を有する押え金具３１を用いるようにしても良い。また、環状弾性部材７，２３は、廃しても良い。
【産業上の利用可能性】
【００４２】
スパナとして、閉口スパナのほか、開口スパナを用いる場合に適用できる。
【符号の説明】
【００４３】
１，１Ａ  スパナ脱落防止構造（スパナ脱落防止構造）
３，１８  スパナ
４，１９  ボルト
５、２１  ナット
６，２２  押え金具（スパナ押え治具）
７，２３  環状弾性部材
８、２５  円板状部材（軸部）
１１  雌ねじ部
１２，２９  押圧部
２４  ロックボルト（補助ボルト）
【図１】
0005577123.tif 000002
【図２】
0005577123.tif 000003
【図３】
0005577123.tif 000004
【図４】
0005577123.tif 000005
【図５】
0005577123.tif 000006
【図６】
0005577123.tif 000007
【図７】
0005577123.tif 000008